(57)【要約】【課題】分割式レンズ鏡筒を構成する互いに分離可能な鏡筒部とエクステンションチューブの間からレンズ鏡筒内部に水滴が進入するのを防止でき、かつ、カメラ使用後にエクステンションチューブから切り離した鏡筒部の後部を上方に向けた場合であっても水滴が鏡筒部内に進入するのを防止できる分割式レンズ鏡筒の防滴構造を提供する。【解決手段】大径環状マウント部５３、５５、５７と小径環状マウント部２４、２５、２６、２７を接続したときに、小径環状マウント部が圧接する水密パッキンＰを鏡筒部５０に設け、鏡筒部５０の接続端部に、大径環状マウント部より内周側に位置し、かつエクステンションチューブ側に向かって突出する環状防滴壁６１を形成した。【選択図】図２
2011027762.tif 000002
【特許請求の範囲】
【請求項１】
撮影レンズ群（Ｌ１、Ｌ２）を内蔵する鏡筒部（５０）と、該鏡筒部に着脱可能に接続しかつ撮影レンズ群を内蔵しないエクステンションチューブ（２０）と、を備える分割式レンズ鏡筒において、
上記エクステンションチューブの上記鏡筒部に対する接続端部に上記撮影レンズ群の光軸を中心とする小径環状マウント部（２４、２５、２６）を突設し、上記鏡筒部のエクステンションチューブに対する接続端部に、上記光軸を中心とし、自身の内周部が上記小径環状マウント部の外周部と着脱する大径環状マウント部（５３、５５、５７）を突設し、
上記鏡筒部とエクステンションチューブの少なくとも一方に、上記大径環状マウント部と小径環状マウント部を接続したときに、他方に形成した上記大径環状マウント部または小径環状マウント部が圧接する、弾性材料からなる環状体であるシーリング部材（Ｐ）を設け、
上記鏡筒部の接続端部に、上記大径環状マウント部より内周側に位置し、かつ上記エクステンションチューブ側に向かって突出する環状防滴壁（６１）を形成したことを特徴とする分割式レンズ鏡筒の防滴構造。
【請求項２】
請求項１記載の分割式レンズ鏡筒の防滴構造において、
上記大径環状マウント部と小径環状マウント部のそれぞれに、該大径環状マウント部と小径環状マウント部を接続したときに、上記シーリング部材によって上記鏡筒部の内部空間との連通が遮断される空間を形成する空間形成部（２４、２５、２６、２７、５３、５５、５７）を形成し、
上記環状防滴壁と上記大径環状マウント部の間に形成される環状空間の容積を、上記空間形成部によって形成された上記空間の容積より大きくした分割式レンズ鏡筒の防滴構造。
【請求項３】
請求項１または２記載の分割式レンズ鏡筒の防滴構造において、
上記環状防滴壁の外周面が、上記エクステンションチューブ側に向かうにつれて径が大きくなるテーパ面（６２）である分割式レンズ鏡筒の防滴構造。
【請求項４】
請求項１から３のいずれか１項記載の分割式レンズ鏡筒の防滴構造において、
上記鏡筒部が、少なくとも一部の上記撮影レンズ群を移動させるためのモータ（Ｍ）と、該モータに電力を供給するための配線（６９）と、を内蔵する分割式レンズ鏡筒の防滴構造。
【請求項５】
請求項１から４のいずれか１項記載の分割式レンズ鏡筒の防滴構造において、
上記鏡筒部が、上記大径環状マウント部を有する固定環（５１）と、該固定環の内周部に固定した、上記撮影レンズ群を支持するレンズ支持環（５９）と、を具備し、
上記シーリング部材を、上記固定環とレンズ支持環の間に跨るように設け、かつ、上記大径環状マウント部と小径環状マウント部を接続したときに上記小径環状マウント部が該シーリング部材に圧接する分割式レンズ鏡筒の防滴構造。
【請求項６】
請求項１から５のいずれか１項記載の分割式レンズ鏡筒の防滴構造において、
上記環状防滴壁が、上記シーリング部材の保持部材を兼ねている分割式レンズ鏡筒の防滴構造。
【発明の詳細な説明】
【技術分野】
【０００１】
本発明は分割式レンズ鏡筒の防滴構造に関する。
【背景技術】
【０００２】
カメラボディに着脱可能なレンズ鏡筒を、レンズを有する鏡筒部（レンズ鏡筒）と、レンズを内蔵しない複数のエクステンションチューブ（中間リング）とにより構成し、レンズ鏡筒と各中間リングを互いに着脱可能とした分割式レンズ鏡筒の先行技術としては、例えば特許文献１に開示されたものがある。
【先行技術文献】
【特許文献】
【０００３】
【特許文献１】特開平７−２３０１１６号公報
【発明の概要】
【発明が解決しようとする課題】
【０００４】
上記構造の分割式レンズ鏡筒を具備するカメラを雨天の環境下で使用すると、中間リングとレンズ鏡筒の接続部に水滴が進入し、水滴がレンズ鏡筒や中間リングに内蔵した電子機器（ＣＰＵなど）に接触し、これら電子機器の動作不良の原因となるおそれがある。
また、中間リングとレンズ鏡筒の接続部に水滴が進入すると、中間リングとレンズ鏡筒の接続部間に形成された空間空間に水滴が溜まる。そのため、カメラ使用後にレンズ鏡筒を中間リングから分離して、レンズ鏡筒の後端部（中間リングとの接続側端部）を上側に向けると、レンズ鏡筒の後端部（接続部）に溜まっていた水滴がレンズ鏡筒内に進入し、レンズ鏡筒に内蔵した上記電子機器に接触してしまう。
【０００５】
本発明は、分割式レンズ鏡筒を構成する互いに分離可能な鏡筒部とエクステンションチューブの間からレンズ鏡筒内部に水滴が進入するのを防止でき、かつ、カメラ使用後にエクステンションチューブから切り離した鏡筒部の後部を上方に向けた場合であっても水滴が鏡筒部内に進入するのを防止できる分割式レンズ鏡筒の防滴構造を提供することを目的とする。
【課題を解決するための手段】
【０００６】
本発明の分割式レンズ鏡筒の防滴構造は、撮影レンズ群を内蔵する鏡筒部と、該鏡筒部に着脱可能に接続しかつ撮影レンズ群を内蔵しないエクステンションチューブと、を備える分割式レンズ鏡筒において、上記エクステンションチューブの鏡筒部に対する接続端部に上記撮影レンズ群の光軸を中心とする小径環状マウント部を突設し、上記鏡筒部のエクステンションチューブに対する接続端部に、上記光軸を中心とし、自身の内周部が上記小径環状マウント部の外周部と着脱する大径環状マウント部を突設し、上記鏡筒部とエクステンションチューブの少なくとも一方に、上記大径環状マウント部と小径環状マウント部を接続したときに、他方に形成した上記大径環状マウント部または小径環状マウント部が圧接する、弾性材料からなる環状体である水密パッキンを設け、上記鏡筒部の接続端部に、上記大径環状マウント部より内周側に位置し、かつ上記エクステンションチューブ側に向かって突出する環状防滴壁を形成したことを特徴としている。
【０００７】
上記大径環状マウント部と小径環状マウント部のそれぞれに、該大径環状マウント部と小径環状マウント部を接続したときに、上記水密パッキンによって上記鏡筒部の内部空間との連通が遮断される空間を形成する空間形成部を形成し、上記環状防滴壁と上記大径環状マウント部の間に形成される空間の容積を、上記マウント部空間の容積より大きくするのが好ましい。
【０００８】
上記環状防滴壁の外周面が、上記エクステンションチューブ側に向かうにつれて径が大きくなるテーパ面であるのが好ましい。
【０００９】
上記鏡筒部が、少なくとも一部の上記撮影レンズ群を移動させるためのモータと、該モータに電力を供給するための配線と、を内蔵していてもよい。
【００１０】
上記鏡筒部が、上記大径環状マウント部を有する固定環と、該固定環の内周部に固定した、上記撮影レンズ群を支持するレンズ支持環と、を具備し、上記水密パッキンを、上記固定環とレンズ支持環の間に跨るように設け、かつ、上記大径環状マウント部と小径環状マウント部を接続したときに上記小径環状マウント部が該水密パッキンに圧接してもよい。
【００１１】
上記環状防滴壁が、上記シーリング部材の保持部材を兼ねていてもよい。
【発明の効果】
【００１２】
本発明によれば、エクステンションチューブの小径環状マウント部と鏡筒部の大径環状マウント部を接続すると、シーリング部材に大径環状マウント部または小径環状マウント部が圧接するので、小径環状マウント部と大径環状マウント部の間から分割式レンズ鏡筒の内部空間に水滴が進入するのを軽減できる。
さらに、カメラ使用後にエクステンションチューブから切り離した鏡筒部の接続端部（大径環状マウント部を設けた側の端部）を上方に向けると、鏡筒部と接続端部の接続端部間に溜まっていた水滴が鏡筒部の内周側に移動する。しかし、大径環状マウント部の内周側に環状防滴壁を設けてあるので、水滴が鏡筒部の内部に進入するのを効果的に防止できる。
【００１３】
請求項２のように構成すれば、小径環状マウント部と大径環状マウント部の間に形成された空間一杯に水滴が溜まった後に、エクステンションチューブから鏡筒部を切り離して鏡筒部の接続端部を上方に向けても、当該水滴が環状防滴壁を乗り越えて鏡筒部の内部に進入するおそれがなくなる。
【００１４】
請求項３のように構成すれば、エクステンションチューブから鏡筒部を切り離して鏡筒部の接続端部を上方に向けたときに、水滴が環状防滴壁を乗り越え難くなる。そのため、水滴が鏡筒部の内部に進入するのをより効果的に防止できる。
【００１５】
請求項４のように構成すれば、鏡筒部がモータと配線を内蔵しているものの、これらの部材に水滴が付着するのを効果的に防止できるので、移動レンズ群の動作が不円滑になることはない。
【００１６】
請求項５のように構成すれば、シーリング部材によって、水滴が固定環とレンズ支持環の間から鏡筒部の内部空間に進入するのを効果的に防止できる。
【００１７】
請求項６のように構成すれば、部品点数を少なくできる。
【図面の簡単な説明】
【００１８】
【図１】本発明の一実施形態の分割式レンズ鏡筒を断面視して示すデジタルカメラの側面図である。
【図２】分割式レンズ鏡筒の要部の拡大縦断側面図である。
【図３】上向きにした鏡筒部の上部の拡大縦断側面図である。
【発明を実施するための形態】
【００１９】
以下、添付図面を参照しながら本発明の一実施形態について説明する。なお、以下の説明中の方向は図中の矢印を基準としている。
本発明を適用したデジタルカメラ１０は天体観測等に適した望遠撮影用カメラである。デジタルカメラ１０は、撮像素子、回転ミラー、シャッター、画像処理装置、ファインダ、シャッターボタン、（撮像素子、回転ミラー、シャッター、画像処理装置などの動作を制御するための）制御装置、該制御装置と電気的に接続する接点ピン、（撮像素子、画像処理装置、制御装置などに電力を供給する）内部電源等を具備するカメラボディ１１と、カメラボディ１１の前面開口部に形成したマウント部に着脱可能な分割式レンズ鏡筒１５と、を具備している。
【００２０】
分割式レンズ鏡筒１５は、互いに着脱可能なエクステンションチューブ２０と鏡筒部５０とを具備している。
エクステンションチューブ２０は前後両端が開口する円筒形状の固定環２１を具備しており、エクステンションチューブ２０の後端部には、カメラボディ１１の前面開口部に形成したマウント部に対して着脱自在なマウント２２が設けてある。
固定環２１の外周面の前端近傍部には、固定環２１の軸線を中心とする環状体である外方フランジ２４が一体的に突設してある。さらに、固定環２１の前端部には、固定環２１の軸線を中心とする筒状体であり外方フランジ２４よりも前方に位置する小径筒状部２５が一体的に突設してある。小径筒状部２５の外周面には、外方フランジ２４より小径であり、固定環２１の軸線を中心とする円弧体である３つのバヨネット爪２６が周方向に等角度間隔で一体的に突設してあり、さらに小径筒状部２５の前端には固定環２１の軸線を中心とする環状体である内方先端フランジ２７が一体的に突設してある。外方フランジ２４、小径筒状部２５、バヨネット爪２６、及び内方先端フランジ２７が特許請求の範囲の「小径環状マウント部」に相当する。
固定環２１の内周面の前端近傍部には、固定環２１の軸線を中心とする環状体である内方支持フランジ２９が内周側に向けて一体的に突設してある。内方支持フランジ２９の前面の内周縁部には正面視環状をなすフィルタホルダ３０が固定してあり、フィルタホルダ３０の内周部には正面視円形の光学フィルタ３１が支持してある。
内方支持フランジ２９には、ピン支持孔３２と、ピン支持孔３２の外周側に位置し正面視円弧状をなす円弧孔３３とが貫通孔として穿設してある。ピン支持孔３２には導電性材料からなる接点ピン３４が相対移動可能に嵌合しており、内方支持フランジ２９の後面に固定したリテーナ３６と接点ピン３４の後端部に形成したストッパ３５の間に縮設した圧縮コイルばね３７の付勢力によって接点ピン３４が前方に向けて付勢されている。接点ピン３４のストッパ３５はピン支持孔３２より大径なので、接点ピン３４はストッパ３５が内方支持フランジ２９の後面に当接するとそれ以上は前方にスライド不能となる。リテーナ３６には圧縮コイルばね３７と電気的に接続するフレキシブルプリント基板３９の前端が固定してあり、フレキシブルプリント基板３９の後端は固定環２１の後端部に形成した端子（図示略）に接続している。
固定環２１の内部には、固定環２１の軸線を中心とする円弧上を該軸線を中心に回転可能な金属製の絞り用動力伝達レバー４１が設けてある。絞り用動力伝達レバー４１の後端はマウント２２の内周側を通ってマウント２２の後方に突出しており、絞り用動力伝達レバー４１の前端は円弧孔３３を通って内方支持フランジ２９の前方に突出している。
さらに、固定環２１の外周面には、前後両端が開口する筒状部材であるロック環４３が、固定環２１に対して相対回転可能かつ相対スライド可能として支持してある。ロック環４３の内周面には雌ねじ４４が形成してある。
【００２１】
鏡筒部５０は前後両端が開口する円筒形状の固定環５１を具備している。
固定環５１の内周面の後端近傍部には固定環５１の軸線を中心とする環状体である内方フランジ５３が内周側に向けて一体的に突設してある。内方フランジ５３には、固定環５１の軸線を中心とする環状体である大径筒状部５５が後方に向けて一体的に突設してある。大径筒状部５５の前部は後部に比べて厚肉である前部厚肉部５６となっており、大径筒状部５５の後端部には固定環５１の軸線を中心とする円弧体である３つのバヨネット爪５７が周方向に等角度間隔で一体的に突設してある。各バヨネット爪５７の長さ（周方向長）は、エクステンションチューブ２０の隣り合うバヨネット爪２６同士の間隔（周方向間隔）より短い。バヨネット爪５７はバヨネット爪２６と係脱するものであり、カメラボディ１１の前面開口部に形成したマウント部とは着脱不能である。さらに、大径筒状部５５の外周面には雄ねじ５８が形成してある。これらの構成のうち内方フランジ５３、大径筒状部５５及バヨネット爪５７が特許請求の範囲の「大径環状マウント部」に相当する。
内方フランジ５３の内周面には段差付きの筒状部材である３群支持環（レンズ支持環）５９が嵌合固定してあり、３群支持環５９の内周面には２枚のレンズからなる第３レンズ群（撮影レンズ群）Ｌ３が支持してある。図示するように、３群支持環５９の後端部の外周部の前面は内方フランジ５３の後面に接触しており、内方フランジ５３と３群支持環５９の後端部の外周部の間には、シリコン等の弾性材料からなり正面視環状をなす水密パッキン（シーリング部材）Ｐが接着により水密状態で固定してある。さらに、３群支持環５９の後端部の外周縁部には、正面視で固定環５１の軸線を中心とする環状体である環状防滴壁６１が後方に向けて一体的に突設してある。環状防滴壁６１の外周面の前端部には環状凹部６３が形成してあり、環状凹部６３と内方フランジ５３の後端面の間で水密パッキンＰを挟持（保持）している。図示するように環状防滴壁６１の外周面は、後方に向かうにつれて外径が徐々に大きくなるテーパ面６２となっている。
【００２２】
内方フランジ５３には、固定環５１の内周側に位置する直進案内環６４の後端部が固定してある。直進案内環６４には光軸Ａ方向に延びる３本の直進案内溝６５（図１、図２に１本のみ図示）が周方向に１２０°間隔で貫通溝として形成してある。そして、直進案内環６４の各直進案内溝６５には、直進案内環６４の内周側に位置し、かつ２枚のレンズからなる第２レンズ群Ｌ２（フォーカスレンズ）を支持する２群支持環６６の外周面に１２０°間隔で突設した３本のカムフォロア６６ａがそれぞれ相対移動可能に嵌合している。さらに、固定環５１の前端部と直進案内環６４の前端部の間には、固定環５１と略同径の環状部材であるフォーカスリング（調整リング）６７が第２レンズ群Ｌ２及び第３レンズ群Ｌ３の光軸Ａ回りに回転可能かつ光軸Ａ方向にスライド不能として支持してある。フォーカスリング６７の内周面にはフォーカスリング６７より小径の環状部材であるカム環６８が固定してあり、カム環６８には直進案内溝６５に対して傾斜するカム溝６８ａが周方向に１２０°間隔で３本形成してある（図１に１本のみ図示）。そして、各カム溝６８ａには対応する直進案内溝６５を貫通したカムフォロア６６ａが相対移動可能に嵌合しているので、フォーカスリング６７を光軸Ａ回りに回転させると２群支持環６６及び第２レンズ群Ｌ２が光軸Ａに沿って進退する。
また、直進案内環６５の前端部には前側固定環５２（図１で後端部のみ図示）が固定してあり、前側固定環５２の前端部（図示略）の前部の内周面には２枚のレンズからなる第１レンズ群（図示略）が固定してある。
【００２３】
固定環５１の内部には回路基板６９が固定してあり、回路基板６９の後面には回路基板６９と電気的に導通するモータＭが固定してある。このモータＭは図示を省略した動力伝達機構を介してカム環６８に接続している。回路基板６９にはフレキシブルプリント基板（配線）７０の前端部が接続しており、フレキシブルプリント基板７０の後端部は、内方フランジ５３及び３群支持環５９に形成した貫通孔を後方に通り抜け、かつ３群支持環５９の前面に固定したピン支持部材７１に支持された導電性材料からなる接点ピン７２に接続している。
さらに、固定環５１の内部には第２レンズ群Ｌ２と第３レンズ群Ｌ３の間に位置する絞り機構７４が設けてある。絞り機構７４は、固定環５１の軸線（第２レンズ群Ｌ２及び第３レンズ群Ｌ３の光軸Ａ）を中心とする周方向に並びかつ自身の回転軸回りに回転可能な複数の絞り羽根（図示略）を具備している。さらに、これらの各絞り羽根は、図示を省略した付勢手段によって最小絞り方向に回転付勢されている。また、固定環５１の内部には、固定環５１の軸線を中心とする周方向に回転可能な絞り操作レバー７６が設けてある。絞り操作レバー７６の前端部は絞り機構７４と連係しており、絞り操作レバー７６の後端部は３群支持環５９を回転可能に貫通しており、絞り操作レバー７６の後端部は上方に向けて曲折された係脱部７７となっている。
【００２４】
エクステンションチューブ２０は、そのマウント２２を光軸Ａ回りに回転させながらカメラボディ１１の前面開口部に形成したマウント部に係合させることによりカメラボディ１１に接続でき、エクステンションチューブ２０（及びマウント２２）を当該回転方向と逆方向に回転させることによりカメラボディ１１のマウント部から取り外すことが可能である。
分離状態にあるエクステンションチューブ２０と鏡筒部５０を接続するには、エクステンションチューブ２０の隣り合うバヨネット爪２６の間に形成された３つの隙間の直前に鏡筒部５０の３つのバヨネット爪５７を位置させた後に鏡筒部５０を後方に直線的に移動させる。そして、バヨネット爪５７の後面が外方フランジ２４の前面に接触した後に鏡筒部５０を自身の軸線回りに回転させて、各バヨネット爪５７を対応するバヨネット爪２６の直後に位置させる。そして、ロック環４３を回転させることにより、ロック環４３の雌ねじ４４を鏡筒部５０の雄ねじ５８に螺合させれば、エクステンションチューブ２０の前端部に対する鏡筒部５０の後端部の接続作業が完了する。なお、ロック環４３を逆方向に回転させて雌ねじ４４と雄ねじ５８の螺合を解除し、かつ、鏡筒部５０を自身の軸線回りに回転させて隣り合うバヨネット爪２６の間に形成された３つの隙間の直後に３つのバヨネット爪５７を位置させた後に鏡筒部５０を前方に直線的に移動させれば、鏡筒部５０をエクステンションチューブ２０から分離できる。
【００２５】
カメラボディ１１にエクステンションチューブ２０を接続しかつエクステンションチューブ２０に鏡筒部５０を接続すると、フレキシブルプリント基板３９と接続するエクステンションチューブ２０の上記端子がカメラボディ１１に設けた端子（図示略）と接続するので、フレキシブルプリント基板３９がカメラボディ１１に内蔵した内部電源と電気的に接続し、さらにエクステンションチューブ２０の接点ピン３４が鏡筒部５０の接点ピン７２に接触する。そのため、カメラボディ１１の内部電源の電力が、フレキシブルプリント基板３９、圧縮コイルばね３７、接点ピン３４、接点ピン７２、フレキシブルプリント基板７０、及び回路基板６９を介してモータＭに供給される。従って、カメラボディ１１に設けた操作手段によって撮影モードをＡＦモードに設定した上でカメラボディ１１に設けたシャッターボタン（図示略）を半押しすると、モータＭの動力によって２群支持環６６及び第２レンズ群Ｌ２が光軸Ａに沿って進退し、第２レンズ群Ｌ２によってフォーカシングが行われる。
さらに、カメラボディ１１にエクステンションチューブ２０を接続しかつエクステンションチューブ２０に鏡筒部５０を接続すると、カメラボディ１１のマウント部の近傍に設けたレバー（図示略）にエクステンションチューブ２０側の絞り用動力伝達レバー４１の後端部が係合し、かつ、絞り用動力伝達レバー４１の前端部が鏡筒部６０側の絞り操作レバー７６の係脱部７７に係合し、各絞り羽根の内周面によって規定される絞り径が開放絞り値となる。
撮影者が分割式レンズ鏡筒１５を被写体に向けながら上記シャッターボタンを全押しすると、カメラボディ１１に設けた上記レバーが回転し、この回転に伴って絞り用動力伝達レバー４１及び絞り操作レバー７６が回転するので、各絞り羽根の絞り径がカメラボディ１１側で設定された設定絞り値となる。そして、シャッターボタンの全押し動作に連動して、第１レンズ群、第２レンズ群Ｌ２、第３レンズ群Ｌ３及び光学フィルタ３１を透過した観察像がカメラボディ１１に内蔵した上記撮像素子によって撮像される。
なお、カメラボディ１１に設けた操作手段によって撮影モードをＭＦモードに設定した上で鏡筒部５０のフォーカスリング６７を手動により回転させれば、マニュアルフォーカスにより撮影を行える。
【００２６】
さらに、エクステンションチューブ２０と鏡筒部５０を接続すると、図２に示すようにエクステンションチューブ２０の内方先端フランジ２７の前面内周部が鏡筒部５０に設けた水密パッキンＰに圧接する。雨天の状況下においてデジタルカメラ１０を使用すると、水滴（雨）がロック環４３と大径筒状部５５の隙間からエクステンションチューブ２０の小径環状マウント部（外方フランジ２４、小径筒状部２５、バヨネット爪２６、及び内方先端フランジ２７）の空間形成部（外方フランジ２４の表面、小径筒状部２５の外周面、バヨネット爪２６の表面、及び、内方先端フランジ２７の前面）と鏡筒部５０の大径環状マウント部（内方フランジ５３、大径筒状部５５及バヨネット爪５７）の空間形成部（バヨネット爪５７の表面、大径筒状部５５の内周面、及び、内方フランジ５３の後面）の間に形成された（バヨネット爪５７が位置する部分を除いて環状をなす）空間に水滴が侵入することがある。しかし、水密パッキンＰによって、当該空間と水密パッキンＰより内周側の空間とを遮断し、かつ、水滴が内方フランジ５３と３群支持環５９（環状防滴壁６１）の隙間から鏡筒部５０の内部空間（内方フランジ５３よりフード部５２側の空間）に侵入するのを防止しているので、この水滴が鏡筒部５０の内部空間内に設けた接点ピン７２、フレキシブルプリント基板７０、回路基板６９、モータＭ、及び、エクステンションチューブ２０内に設けた接点ピン３４、フレキシブルプリント基板３９等に接触することはない。そのため、第２レンズ群Ｌ２のフォーカシング動作が不円滑になることはない。
環状防滴壁６１を後方に向かって延びる壁状部材とし、環状防滴壁６１と小径筒状部２５の隙間を小さくすることにより、水密パッキンＰに撮影者の指や物等が接触し難くしているので、水密パッキンＰは劣化し難い（防水効果が低減し難い）。
また、鏡筒部５０をエクステンションチューブ２０から切り離して図３に示すように鏡筒部５０の後端部を上方に向けると、小径環状マウント部と大径環状マウント部の間に形成された上記空間に溜まった水滴が鏡筒部５０の内周側に移動する。しかし、小径環状マウント部と大径環状マウント部の間の上記空間の容積よりも、３群支持環５９の環状防滴壁６１の外周面（テーパ面６２）と内方フランジ５３の後面と大径筒状部５５の内周面と図３の二点鎖線とで囲まれた環状空間Ｓの容積を大きく設定しているので、小径環状マウント部と大径環状マウント部の間の上記空間一杯に水滴が溜まっていたとしても、この水滴が環状防滴壁６１（テーパ面６２）を乗り越えて環状防滴壁６１の内周側に侵入することはない。従って、この水滴が鏡筒部５０内に設けた接点ピン７２、フレキシブルプリント基板７０、回路基板６９、及びモータＭに接触することはない。
【００２７】
しかも、３群支持環５９の外周面をテーパ面６２としているので、３群支持環５９の外周面を前後位置が変わっても径寸法が変わらない通常の円筒面や、当該外周面の径を後方に向かうにつれて徐々に小さくした場合に比べて、鏡筒部５０をエクステンションチューブ２０から切り離して鏡筒部５０の後端部を上方に向けたときに水滴が環状防滴壁６１を内周側に乗り越え難くなっている。
さらに、分割式レンズ鏡筒１５の全長は長いため、エクステンションチューブ２０及び鏡筒部５０を一体（分離不能）とした場合は光学フィルタ３１を当該レンズ鏡筒内に設けるのは容易ではない。しかし、本実施形態では鏡筒部５０と分離可能なエクステンションチューブ２０の前端部に光学フィルタ３１を設けているので、分割式レンズ鏡筒１５の内部に光学フィルタ３１を簡単に配置できる。
また、分割式レンズ鏡筒１５の前端部を通る光束の径は大きいため、分割式レンズ鏡筒１５の前端部に光学フィルタを設ける場合は光学フィルタの径を大きくする必要があり、光学フィルタが高価になる。しかし、本実施形態の光学フィルタ３１は光束径が前端部に比べて小さくなる第３レンズ群Ｌ３の直後に配置しているので、径が小さい安価なものを利用可能である。
【００２８】
以上、上記実施形態に基づいて本発明を説明したが、本発明は様々な変更を施しながら実施可能である。
例えば、環状防滴壁６１の光軸Ａ方向寸法を上記実施形態より短くしても（小径環状マウント部と大径環状マウント部の間の上記空間の容積よりも環状空間Ｓの容積を小さくしても）よい。この場合も、環状防滴壁６１を形成しない場合と比べれば優れた防滴効果を発揮できる。
また、エクステンションチューブ２０（レンズを具備しない筒状部材）や鏡筒部５０（レンズを内蔵する筒状部材）を互いに着脱可能な複数の部材によって構成してもよい。
さらに、エクステンションチューブ２０をカメラボディ１１ではなく図示を省略した接眼レンズ付き鏡筒（アイピース）に接続すれば、エクステンションチューブ２０、鏡筒部５０及び当該接眼レンズ付き鏡筒によって望遠鏡を構成できる。
また、３群支持環５９を固定環５１と一体の部材としてもよい。
さらに、内方先端フランジ２７の前面に水密パッキンＰを固定し、エクステンションチューブ２０と鏡筒部５０を接続したときに当該水密パッキンＰが内方フランジ５３の後面に圧接するようにしてもよい。なお、この場合は鏡筒部５０側に水密パッキンＰを設けても良いし、設けなくてもよい。
【００２９】
さらに、バヨネット爪２６、５７の枚数は３つでなくてもよく、またバヨネット爪２６、５７の配置態様は等角度間隔でなくてもよい。
また、内方先端フランジ２７を省略し、小径筒状部２５の前端部に水密パッキンＰを圧接させたり、小径筒状部２５の前端部に水密パッキンＰを固定してもよい。
【符号の説明】
【００３０】
１０    デジタルカメラ
１１    カメラボディ
１５    分割式レンズ鏡筒
２０    エクステンションチューブ
２１    固定環
２２    マウント
２４    外方フランジ（小径環状マウント部）
２５    小径筒状部（小径環状マウント部）
２６    バヨネット爪（小径環状マウント部）
２７    内方先端フランジ（小径環状マウント部）
２９    内方支持フランジ
３０    フィルタホルダ
３１    光学フィルタ
３２    ピン支持孔
３３    円弧孔
３４    接点ピン
３５  ストッパ
３６    リテーナ
３７    圧縮コイルばね
３９    フレキシブルプリント基板
４１    絞り用動力伝達レバー
４３    ロック環
４４    雌ねじ
５０    鏡筒部
５１    固定環
５２    前側固定環
５３    内方フランジ（大径環状マウント部）
５５    大径筒状部（大径環状マウント部）
５６    前部厚肉部
５７    バヨネット爪（大径環状マウント部）
５８    雄ねじ
５９    ３群支持環（レンズ支持環）
６１    環状防滴壁
６２    テーパ面
６４    直進案内環
６５    直進案内溝
６６    ２群支持環
６６ａ  カムフォロア
６７    フォーカスリング
６８    カム環
６８ａ  カム溝
６９    回路基板
７０    フレキシブルプリント基板（配線）
７１    ピン支持部材
７２    接点ピン
７４    絞り機構
７６    絞り操作レバー
７７    係脱部
Ａ      光軸
Ｌ２    第２レンズ群（撮影レンズ群）（フォーカスレンズ）
Ｌ３    第３レンズ群（撮影レンズ群）
Ｍ      モータ
Ｐ      水密パッキン（シーリング部材）
Ｓ      環状空間
【図１】
2011027762.tif 000003
【図２】
2011027762.tif 000004
【図３】
2011027762.tif 000005